【手続補正書】
【提出日】平成24年3月29日(2012.3.29)
【手続補正１】
【補正対象書類名】特許請求の範囲
【補正対象項目名】全文
【補正方法】変更
【補正の内容】
【特許請求の範囲】
【請求項１】
第１の電力モードと当該第１の電力モードよりも消費電力が小さい第２の電力モードのいずれかで動作可能な情報処理装置であって、
ネットワークを介して送信されたパケットを受信する受信手段と、
前記第２の電力モードにおいて、前記受信手段によって受信されたパケットが特定のプロトコルに基づくパケットであるか否かを判定する判定手段と、
前記判定手段によって前記パケットが前記特定のプロトコルに基づくパケットであると判定された場合、データ記述言語で記述された後続のパケットのデータを解析する解析手段と、
前記解析手段による解析結果に応じて、前記第２の電力モードから前記第１の電力モードへの復帰を指示する指示手段と、
を有することを特徴とする情報処理装置。
【請求項２】
前記判定手段は、前記受信手段によって受信されたパケットが予め定められた第一の固定パターンに合致した場合、当該パケットが前記特定のプロトコルに基づくパケットであると判定することを特徴とする請求項１記載の情報処理装置。
【請求項３】
前記受信手段によって受信されたパケットが前記第一の固定パターンとは異なる第二の固定パターンに合致した場合、前記解析手段による解析を行うことなく、前記第２の電力モードから前記第１の電力モードへの復帰を指示することを特徴とする請求項２記載の情報処理装置。
【請求項４】
前記解析手段による解析は、前記データ記述言語で記述されたデータによって示されるサービスを自装置が提供できるか否かを判断することを特徴とする請求項１乃至３の何れかに記載の情報処理装置。
【請求項５】
前記サービスを自装置が提供できる場合、前記指示手段は前記第２の電力モードら前記第１の電力モードへの復帰を指示し、前記サービスを自装置が提供できない場合、前記指示手段は前記省電力状態から通常状態への復帰を指示しないことを特徴とする請求項４記載の情報処理装置。
【請求項６】
前記第２の電力モードにおいて前記情報処理装置を制御する主制御部と、
前記ネットワークに接続された副制御部と、
前記第１の電力モードでは、前記主制御部と副制御部に電力を供給し、前記第２の電力モードでは、前記主制御部に電力を供給せず前記副制御部に電力を供給する電源制御手段とを更に有することを特徴とする請求項１乃至５の何れかに記載の情報処理装置。
【請求項７】
前記主制御部は、前記第１の電力モードから前記第２の電力モードに移行する際に、前記第２の電力モードから前記第１の電力モードに復帰するための条件を示す復帰情報を前記副制御部に送信することを特徴とする請求項６記載の情報処理装置。
【請求項８】
前記主制御部は、前記第１の電力モードから前記第２の電力モードに移行する際に、前記情報処理装置が提供することができるサービスを示す情報を前記副制御部に送信することを特徴とする請求項６又は７記載の情報処理装置。
【請求項９】
前記データ記述言語はＸＭＬ形式であることを特徴とする請求項１乃至８の何れか１項に記載の情報処理装置。
【請求項１０】
第１の電力モードと当該第１の電力モードよりも消費電力が小さい第２の電力モードのいずれかで動作可能な情報処理装置であって、
ネットワークを介して送信されたパケットを受信する受信手段と、
前記第２の電力モードにおいて、前記受信手段によって受信されたパケットがＷＳ−Ｄｉｓｃｏｖｅｒｙプロトコルに基づくパケットであるか否かを判定する判定手段と、
前記判定手段によって前記パケットが前記ＷＳ−Ｄｉｓｃｏｖｅｒｙプロトコルに基づくパケットであると判定された場合、ＸＭＬ形式で記述された後続のパケットのデータを解析する解析手段と、
前記解析手段による解析結果に応じて、前記第２の電力モードから前記第１の電力モードへの復帰を指示する指示手段と、
を有することを特徴とする情報処理装置。
【請求項１１】
第１の電力モードと当該第１の電力モードよりも消費電力が小さい第２の電力モードのいずれかで動作可能な情報処理装置の制御方法であって、
ネットワークを介して送信されたパケットを受信する受信ステップと、
前記第２の電力モードにおいて、前記受信ステップによって受信されたパケットが特定のプロトコルに基づくパケットであるか否かを判定する判定ステップと、
前記判定ステップによって前記パケットが前記特定のプロトコルに基づくパケットであると判定された場合、データ記述言語で記述された後続のパケットのデータを解析する解析ステップと、
前記解析ステップによる解析結果に応じて、前記第２の電力モードから前記第１の電力モードへの復帰を指示する指示ステップと、
を有することを特徴とする制御方法。
【請求項１２】
第１の電力モードと当該第１の電力モードよりも消費電力が小さい第２の電力モードのいずれかで動作可能な情報処理装置の制御方法であって、
ネットワークを介して送信されたパケットを受信する受信ステップと、
前記第２の電力モードにおいて、前記受信ステップによって受信されたパケットがＷＳ−Ｄｉｓｃｏｖｅｒｙプロトコルに基づくパケットであるか否かを判定する判定ステップと、
前記判定ステップによって前記パケットが前記ＷＳ−Ｄｉｓｃｏｖｅｒｙプロトコルに基づくパケットであると判定された場合、ＸＭＬ形式で記述された後続のパケットのデータを解析する解析ステップと、
前記解析ステップによる解析結果に応じて、前記第２の電力モードから前記第１の電力モードへの復帰を指示する指示ステップと、
を有することを特徴とする制御方法。
【請求項１３】
請求項１１又は１２に記載の情報処理装置の制御方法をコンピュータに実行させるためのプログラム。
【手続補正２】
【補正対象書類名】明細書
【補正対象項目名】０００６
【補正方法】変更
【補正の内容】
【０００６】
上記目的を達成するために、本発明の情報処理装置は、第１の電力モードと当該第１の電力モードよりも消費電力が小さい第２の電力モードのいずれかで動作可能な情報処理装置であって、ネットワークを介して送信されたパケットを受信する受信手段と、前記第２の電力モードにおいて、前記受信手段によって受信されたパケットが特定のプロトコルに基づくパケットであるか否かを判定する判定手段と、前記判定手段によって前記パケットが前記特定のプロトコルに基づくパケットであると判定された場合、データ記述言語で記述された後続のパケットのデータを解析する解析手段と、前記解析手段による解析結果に応じて、前記第２の電力モードから前記第１の電力モードへの復帰を指示する指示手段とを有することを特徴とする。
また、本発明の情報処理装置は、第１の電力モードと当該第１の電力モードよりも消費電力が小さい第２の電力モードのいずれかで動作可能な情報処理装置であって、ネットワークを介して送信されたパケットを受信する受信手段と、前記第２の電力モードにおいて、前記受信手段によって受信されたパケットがＷＳ−Ｄｉｓｃｏｖｅｒｙプロトコルに基づくパケットであるか否かを判定する判定手段と、前記判定手段によって前記パケットが前記ＷＳ−Ｄｉｓｃｏｖｅｒｙプロトコルに基づくパケットであると判定された場合、ＸＭＬ形式で記述された後続のパケットのデータを解析する解析手段と、前記解析手段による解析結果に応じて、前記第２の電力モードから前記第１の電力モードへの復帰を指示する指示手段と、を有することを特徴とする。